【手続補正書】
【提出日】令和2年5月14日(2020.5.14)
【手続補正１】
【補正対象書類名】明細書
【補正対象項目名】０００９
【補正方法】変更
【補正の内容】
【０００９】
本発明は、上記のように構成したことにより、施解錠操作に応じて出没切り替え表示する表示体を備えるものでありながら、戸体の内部側からの施解錠操作によらず、シリンダ錠を外部から施解錠操作することによって、表示体を、その外周面部をシリンダ錠の前面側となるシリンダケースから出没動作させることができるので、シリンダ錠のキー操作に邪魔にならない前面域や外周域を利用して、リング形状とするなど表示体を大きく形成し得て、その突出表示状態を離れた場所からも管理者に確実に視認させることができ、一般人の立ち入りや、設備器機への接触が規制された場所における室内への出入口やユニットボックス等の点検口など、常時施錠状態とするような管理が要求される戸体に対して、解錠状態での突出表示を可能として採用することができるだけでなく、表示体の前面部に開閉蓋等を設けて防塵や防水機能を備えることが可能となり、その表示面域を外周面部のみならず、内周面部も開閉蓋が開らかれたキー操作途中であることを知らしめる表示面域として機能させることができる。さらに、カム部は、一端がシリンダテール片に他端が錠本体に、それぞれ回転可能に連結係合される連結体の外周縁部に一体形成されているので、別途カム部材を介在させる必要が無く部品点数と組付け工数を削減することができると共に、表示体は、その先端がカム面に当接された状態で、シリンダケース内に案内支持される従動軸に対して、その外部側からシリンダ錠の前面側に取着するだけで、凹状部内に没入セットすることができ、表示色の異なるものへの変更や、表示体の出没調整も錠本体への組付け前に、スプライン軸部を回転操作することにより容易に行い得て、出没機構自体の構造の簡略化と、シリンダ錠装置自体への表示体の組付け構成の簡略化が図られたものとして製作することができ、しかも、戸体に設けられた錠本体に対しても、シリンダ錠と錠本体との間に離間スペースが存在する場合に用いられる既存の連結体と同様に、スプライン軸部をスプライン係合により連結取着するだけで容易に組付けることができる。
【手続補正２】
【補正対象書類名】明細書
【補正対象項目名】００１２
【補正方法】変更
【補正の内容】
【００１２】
図２は、開閉蓋を開いた状態と表示体を突出した状態のシリンダ錠装置の正面図、側面図、断面図をそれぞれ（Ａ）〜（Ｆ）において示すものであり、図３（Ａ）は、開閉蓋を開いて表示体を突出した状態のシリンダ錠装置の斜視図、（Ｂ）はカム部を備えた連結体の斜視図である。
これらの図に示されるように、シリンダ錠装置３は、戸体１に取着されるシリンダケース３１と、該シリンダケース３１に内装されて戸体１に設けられた錠本体２に、そのデッドボルト２１を施解錠操作によって出没可能に連動連結されるシリンダ錠３２と、該シリンダ錠３２の施解錠操作に応じて、その施錠・解錠状態を切り替え表示するようシリンダ錠３２の前面側に設けられる表示体４と、シリンダケース３１の前面部を覆うよう開閉可能に設けられた開閉蓋５を備えて構成される。
【手続補正３】
【補正対象書類名】明細書
【補正対象項目名】００１９
【補正方法】変更
【補正の内容】
【００１９】
一方、カバー片４３は、表示体４の外径よりも僅かに大きい外径をもって薄板リング状にて形成されており、表示体４の没入時にシリンダケース３１（凹状部３１３）の前面周縁に密接するように構成され、さらに、このカバー片４３と共に、表示体４には、その前面部上端に回転可能に軸支された開閉蓋５が、シリンダケース３１の前面部を覆うように設けられており、ちりや埃、雨水、或いは工場施設内の粉塵などが、表示体４の外周と凹状部３１３との隙間や凹状部３１３の中央空間内に入り込まない密封構成となっている。つまり、開閉蓋５は、その裏面側が表示体４（カバー片４３）の内周側に僅かに突出する台形の膨出部５１を有して、全体がその外径をカバー片４３の外径よりも僅かに大きい外径となるように円板状に形成されており、図２（Ｄ）に示すように、シリンダケース３１の凹溝３１４で支軸５２により回転可能に軸支され、当該支軸５２に設けられたコイルバネ５２ａにより、カバー片４３の表面に対して常時圧接する方向に付勢されて装着されている。つまり、開閉蓋５は、表示体４と一体となって出没動作されると共に、表示体４の出没動作とは独立して３６０度回転開閉可能に構成され、その開閉操作は、開閉蓋５の外周端を指で摘んで回動させることで、膨出部５１が、その外周傾斜に抗してカバー片４３の内周角部を乗り上げて、カバー片４３上に圧接された状態となり、鍵孔３２１へのキーの挿入操作可能な任意位置まで回転操作されて開状態に保持される。カバー片４３を密封構成部材として形成したが、単に表示体４の前面の小口隠しとしてのシール材としてもよく、また、この部材を用いることなく前面を露出して表示面域として機能させてもよく、その場合には、開閉蓋５を、表示体４の没入時にその外周縁部を表示体４の前面でなく凹状部３１３の前面周縁に圧接させて密封するようにすれば良い。
【手続補正４】
【補正対象書類名】明細書
【補正対象項目名】００２３
【補正方法】変更
【補正の内容】
【００２３】
さらに、カム部３４は、一端がシリンダテール片３２２に他端が錠本体２に、それぞれ回転可能に連結係合される連結体３３の外周縁部に形成されているので、別途カム部材を介在させる必要が無く部品点数と組付け工数を削減することができると共に、表示体４は、その先端がカム面３４ａに当接された状態で、シリンダケース３１内に案内支持される従動軸４１に対して、その外部側からシリンダ錠３２の前面側に取着するだけで、凹状部３１３内に没入セットすることができ、表示色の異なるものの変更や、表示体４の出没調整も錠本体２への組付け前に、スプライン軸部３３１を回転操作することによってを容易に行い得て、出没機構自体の構造の簡略化と、シリンダ錠装置３自体への表示体４の組付け構成の簡略化が図られたものとして製作することができ、しかも、戸体１に設けられた錠本体２に対しても、シリンダ錠３２と錠本体２との間に離間スペースが存在する場合に用いられる既存の連結体と同様に、スプライン軸部３３１をスプライン係合により連結取着するだけで容易に組付けることができる。
【手続補正５】
【補正対象書類名】明細書
【補正対象項目名】００２４
【補正方法】変更
【補正の内容】
【００２４】
また、連結体３３は、シリンダ錠３２の施解錠操作に応じて、表示体４を、解錠状態と施錠状態の何れかの状態で選択的な突出表示が行えるよう、シリンダ錠３２と錠本体２との間に介在セット可能に構成されているので、従動軸４１の先端をカム面３４ａの谷部に位置させ、表示体４を、シリンダケース３１の凹状部３１３内に没入セットする作業工程において、係合駒６とシリンダテール片３２２との係合関係を、例えば、解錠状態で突出表示させたい場合には、シリンダ錠３２を図４（Ａ）に示す施錠状態にして連結体３３を組付けセットし、また、この状態から表示体４を施錠状態で突出表示させたい場合には、連結体３３を１８０度回転させてシリンダ錠３２を図４（Ｂ）に示す解錠状態にして組付けセットした後に、エンドキャップ３１ａにより抜け止めすれば良く、表示体４の突出表示状態の選択切り替えを行う際に、部材や組付け手順を何ら変更することなく容易に行うことができ、コスト高となることなく取り付け現場の要求に応じて迅速に対処することができる。この表示体４の突出表示状態の選択切り替えは、組付け後であっても、ネジ止めされたエンドキャップ３１ａを取り外せば現場にて行うことも可能である。
なお、錠本体２への組付けは、表示体４の突出表示状態に応じて、デッドボルト２１を突出または没入状態として、スプライン軸部３３１を係合連結すれば良い。
【手続補正６】
【補正対象書類名】明細書
【補正対象項目名】００２５
【補正方法】変更
【補正の内容】
【００２５】
また、表示体４は、室内への立ち入りや開戸操作が規制されて、常時閉戸状態に管理される戸体１において、錠本体２の施錠状態で没入され、解錠状態で突出表示されるようセットされている。例えば、一般人の立ち入りや、設備器機への接触が規制された場所における室内への出入口やユニットボックス等の点検口などの戸体１は、常時閉戸状態に管理され、例えば、数日間の間隔や１日の数時間の間隔をもって、比較的短い時間帯が割り当てられて、管理者や作業者による室内への出入りや点検作業などが行われる間だけ解錠状態とする場合が多い。この解錠状態とする操作は、シリンダ錠３２の施解錠操作によって行われるが、本実施形態においては、開閉蓋５を開いた状態で鍵孔３２１にキーを差し込んで解錠操作した後、キーを抜いて開閉蓋５を閉じる手順によって操作される。その際、表示体４が突出表示され、管理者や作業者に対してシリンダ錠３２が解錠状態であることを認識させることができるので、施錠忘れを未然に防止して施錠操作による戸締まり管理を容易に行うことができる。